(57)【特許請求の範囲】
【請求項１】
動画を表示する動画表示画面、あるいは動画表示画面及び取り込んだ静止画を表示する静止画表示画面を表示する画面表示処理手段と、
ユーザーに、静止画の取込指示、取り込んだ静止画の拡大縮小範囲を示すカーソルの表示位置の指定及び該カーソルが示す範囲の静止画の倍率の設定のいずれかを操作させる操作手段と、
前記操作手段による動画から静止画を取り込む指示により動画から静止画を取り込む静止画取込手段と、
前記操作手段の指定による前記カーソルを表示するカーソル表示処理手段と、
前記操作手段の操作に応じて、前記カーソルの範囲内が前記静止画表示画面に表示された場合の表示位置及び／もしくはその倍率が調整されて拡大縮小表示を行なう拡大縮小表示処理手段と、
を備え、
前記静止画を取り込んだ場合には、前記画面表示処理手段が動画表示画面と静止画表示画面の両方を表示させ、
前記操作手段の指示に従って前記カーソル表示処理手段がカーソルを静止画表示画面に表示させて、前記拡大縮小表示処理手段が設定された倍率で拡大縮小処理を行い、
その後前記カーソル表示処理手段が前記カーソルを動画表示画面に表示させ、
前記拡大縮小表示処理手段が動画表示画面に表示されている前記カーソルが示す範囲に対応する静止画表示画面の範囲を前記倍率で拡大縮小処理することを特徴とする画像表示装置。
【請求項２】
前記カーソルは、四角いパターンもしくはフレームとで構成されたことを特徴とする請求項１に記載の画像表示装置。
【請求項３】
前記多画面表示処理手段で、動画表示画面と静止画表示画面とはピー・イン・ピーまたはピー・アウト・ピーの表示形式で構成されたことを特徴とする請求項１又は２に記載の画像表示装置。
【請求項４】
前記画面表示処理手段が構成する前記動画表示画面と前記静止画表示画面とは、同じ面積若しくはアスペクト比で表示されるようにしたことを特徴とする請求項１乃至３のいずれかに記載の画像表示装置。
【請求項５】
前記拡大表示された静止画の一部領域を、その後の指示によって更新して表示するための静止画更新表示手段を有したことを特徴とする請求項１乃至４のいずれかに記載の画像表示装置。
【請求項６】
前記静止画更新手段で表示されるべき静止画が更新表示処理される時には、前記静止画表示画面に表示される静止画は、当該更新処理の前に前記拡大縮小表示処理手段で調整された表示位置及び／又は倍率で更新表示処理がなされることを特徴とする請求項５に記載の画像表示装置。
【請求項７】
請求項１乃至６のいずれかに記載の画像表示装置を構成する画像記録装置において、
前記静止画表示制御された静止画の一部領域を記憶するための記憶手段を設けたことを特徴とする画像記録装置。
【発明の詳細な説明】
【技術分野】
【０００１】
本発明は、動画像を表示させながら静止画をキャプチャしてＨＤ、ＤＶＤ、メモリカード等の記録媒体に記録する画像表示装置及び画像記録装置に関する。
【背景技術】
【０００２】
テレビ放送等において、例えば、料理番組におけるレシピの内容、視聴者プレゼントの宛て先、あるいはサッカー選手のシュートの場面等の静止画を記録したいという要望がある。そこで、近年、ＰＣカード、ＨＤ、ＤＶＤなどの記録媒体に動画はもとより、上記静止画を記録することができる画像記録装置が提供されている。例えば、特許文献１には、表示画面の一部に子画面と呼ばれる小さな画面を設け、主画面には動画を表示し、子画面には記録媒体に記録した静止画を圧縮表示する。
【特許文献１】特開平９−２２４２１３号公報
【発明の開示】
【発明が解決しようとする課題】
【０００３】
特許文献１のテレビ受像機では、動画から静止画を取り込む指示をすると、その時点で記録媒体への記録が実行されるので、ユーザが動画像からキャプチャした画像がそのまま静止画として記録される。ところが、キャプチャした静止画を拡大処理等して、それを録画したい場合もあるが、特許文献１の技術ではそれができない。そのため、一旦記録媒体に静止画像を取り込んだ後に改めて拡大処理等をしなければならず、処理が煩雑であるとともに、記録媒体には、本来記録したくはない等倍の静止画を記録しなければならず、貴重な記憶容量を無駄に使うことになる。
【０００４】
本発明は、斯かる実情に鑑み、ユーザがキャプチャした静止画の拡大あるいは縮小処理をして表示させ、確認のうえで必要な静止画を記録することができる画像表示装置及び画像記録装置を提供することを目的とするものである。
【課題を解決するための手段】
【０００５】
本発明は、動画を表示する動画表示画面、あるいは動画表示画面及び取り込んだ静止画を表示する静止画表示画面を表示する画面表示処理手段と、ユーザーに、静止画の取込指示、取り込んだ静止画の拡大縮小範囲を示すカーソルの表示位置の指定及び該カーソルが示す範囲の静止画の倍率の設定のいずれかを操作させる操作手段と、前記操作手段による動画から静止画を取り込む指示により動画から静止画を取り込む静止画取込手段と、前記操作手段の指定による前記カーソルを表示するカーソル表示処理手段と、前記操作手段の操作に応じて、前記カーソルの範囲内が前記静止画表示画面に表示された場合の表示位置及び／もしくはその倍率が調整されて拡大縮小表示を行なう拡大縮小表示処理手段と、を備え、
前記静止画を取り込んだ場合には、前記画面表示処理手段が動画表示画面と静止画表示画面の両方を表示させ、前記操作手段の指示に従って前記カーソル表示処理手段がカーソルを静止画表示画面に表示させて、前記拡大縮小表示処理手段が設定された倍率で拡大縮小処理を行い、その後前記カーソル表示処理手段が前記カーソルを動画表示画面に表示させ、前記拡大縮小表示処理手段が動画表示画面に表示されている前記カーソルが示す範囲に対応する静止画表示画面の範囲を前記倍率で拡大縮小処理することを特徴とする画像表示装置である。
【０００７】
また、前記静止画表示画面情報は、前記動画表示画面と該動画表示画面に重ねて表示された四角いパターンもしくはフレームとで構成されたことを特徴とする。
【０００８】
また、前記多画面表示処理手段で、動画表示画面と静止画表示画面とはピー・イン・ピー（Picture in Picture）またはピー・アウト・ピー(Picture out Picture)の表示形式で構成されたことを特徴とする。
【０００９】
また、前記多画面表示処理手段が構成する前記動画表示画面と前記静止画表示画面とは、同じ面積若しくはアスペクト比で表示されるようにしたことを特徴とする。
【００１０】
また、前記拡大表示された静止画の一部領域を、その後の指示によって更新して表示するための静止画更新表示手段を有したことを特徴とする。
【００１１】
また、前記静止画更新手段で表示されるべき静止画が更新表示処理される時には、前記静止画表示画面に表示される静止画は、当該更新処理の前に前記拡大縮小表示処理手段で調整された表示位置及び／又は倍率で更新表示処理がなされることを特徴とする。
【００１２】
また、本発明は、前記画像表示装置を構成する画像記録装置において、前記静止画表示制御された静止画の一部領域を記憶するための記憶手段を設けたことを特徴とする。
【発明の効果】
【００１３】
本発明の画像表示装置によれば、取り込んだ静止画に対して所望の倍率で静止画面を表示することができるので、取り込んだ静止画像のうちユーザが見たい静止画領域を選択し、使用者の好みでその画面の視聴が容易になる。
また折角取り込んだ静止画を動画像と合わせて多画面表示処理等の画像表示処理よって見ている結果、一度は縮尺して表示せざるを得なかった静止画像を可能な限り、二画面表示等の表示処理をする前の状態に近い縮尺比で静止画を見ることが可能になる。
【００１４】
また、本発明の画像表示装置によれば、表示制御手段により静止画表示画面情報を表示して、所定の倍率で静止画表示画面中に表示処理された映像の静止画全体に対する相対的な位置を容易に識別することが可能になり、このフレームを動画表示画面上に表示処理していることによって、現在取り込んだ静止画全体のうちどの領域を視聴しているのか容易に認識することが可能になる。
【００１５】
また、本発明の画像表示装置によれば、静止画表示画面情報として、動画表示画面に重ねて四角いパターンもしくはフレームが表示されるので、所定の倍率で静止画表示画面中に表示処理された映像の静止画全体に対する相対的な位置を容易に識別するための情報を画面上の他の領域に余分に設ける必要がなくなり、かつ、現在表示中の動画像中のフレーム等で囲まれた領域と表示処理された静止画との内容を相対的に比較することが容易になる。
【００１６】
また、本発明の画像表示装置によれば、動画表示画面と静止画表示画面とをピー・イン・ピーまたはピー・アウト・ピーの表示形式で表示したり、同じ面積若しくはアスペクト比で表示したりするので、動画と静止画を同時に対応させて相対的に比較することが容易となる。
【００１７】
また、本発明の画像表示装置によれば、拡大表示された静止画の一部領域を、その後の指示によって更新して表示するので、現在放送中の動画像に対して拡大処理された静止画の一部領域がベストショットかを即時比較判断することができ、最適な静止画像を視聴しながら選択できる。
【００１８】
また、本発明の画像表示装置によれば、静止画が更新表示処理される時には、静止画表示画面に表示される静止画は、当該更新処理の前に前記静止画表示制御手段で調整された表示位置及び／又は倍率で更新表示処理がなされるので、上記更新処理によって再度新たな静止画面をキャプチャした静止画のうち、前回キャプチャした静止画の中でベストのフレームサイズまたは位置を新たに選定する必要がなくなり、また、更新処理前にユーザが意図した静止画のフレームサイズまたは位置での更新が可能になり更新後の調整操作処理が極めて容易になる。
【００１９】
また、本発明の画像記録装置によれば、静止画表示制御された静止画の一部領域を記憶するための記憶手段を設けたことにより、ユーザ等によって的確に選択された映像のうち特定領域の映像領域を記憶することが可能になるので、ユーザが認識したい情報のみを的確に記憶することができ、またメモリーの利用効率もよい状態で活用でき、いわゆる無駄撮りが少なくなる。
【発明を実施するための最良の形態】
【００２０】
以下、本発明の実施の形態を図面に基づいて詳細に説明する。
【００２１】
図１は、本発明に係る画像記録装置の一実施形態である液晶テレビ受信機の構成を示すブロック図である。本実施の形態は、図１に示すように、テレビジョン放送信号を受信するアンテナ１と、アンテナ１によって受信されたテレビジョン放送信号を画像検波し画像信号および音声信号を出力する受信部２と、入出力される画像信号を選択切り換えする選択部３と、動画画像信号から静止画をキャプチャする静止画取込部４と、入力された画像信号をＲ，Ｇ，Ｂ信号に変換して出力する画像出力部５と、このＲＧＢ信号に基づいて表示する液晶表示部６と、入力された音声信号を音声出力できるように処理をする音声出力部７と、処理された音声信号に基づいて音声出力するスピーカ８と、メモリカード等のカード型記憶媒体９と、カード型記憶媒体９が挿入されるスロット部１０と、スロット部１０に挿入されたカード型記憶媒体９と通信を行うカード制御部１１と、各部を制御する中央制御部１２と、ユーザが中央制御部１２に各種の指示を入力する操作部１３と、Ｒ／Ｃ（リモコン）操作部１５からの赤外線信号を受光するＲ／Ｃ受光部１４からなる構成である。
【００２２】
ここで、選択部３は、表示部６に表示させたり、カード記録媒体９に記録させる画像信号として、カード記録媒体９の画像や受信部２の画像を選択させる機能を有し、一般的にはセレクタとも呼び、集積回路ＩＣとして実現化されているものもある。また、カード記録媒体９の画像については、選択部３に対して一方的に出力するラインだけでなく、受信部２の画像を書き込むための入力ラインも機能させるためのラインが存在する。
【００２３】
また、静止画取込部４は、キャプチャした静止画を図示しないフレームメモリに保持するものである。表示部６は、本実施形態では液晶に限るものではなく、ＣＲＴやプラズマディスプレイでもよい。
【００２４】
図２に示すように、Ｒ／Ｃ操作部１５は、ユーザが選択した入力操作を、赤外線により液晶テレビに伝送する。図２は、Ｒ／Ｃ操作部１５の外観の例を示すもので、操作キーとして、電源キー２１、テンキー２２、チャンネル順次選択キー２３、音量キー２４、操作を戻す戻るキー２５、操作を終了する終了キー２６、操作を決定する決定キー２７、表示画面の左右上下方向へカーソルを移動させるカーソルキー２８、静止画をキャプチャする静止画キー２９、表示画像を拡大するズームキー３０から構成される。
【００２５】
詳しくは後述するが、カーソルキー２８、静止画キー２９、ズームキー３０が、静止画表示画面に表示された静止画の該静止画全体に対する表示位置及び／もしくはその倍率を調整する静止画表示操作手段である。この静止画表示操作手段により、静止画表示画面に表示された静止画の該静止画全体に対する表示位置及び／もしくはその倍率を調整するのが、拡大縮小表示処理部５ｃ（静止画表示制御手段）である。
【００２６】
次に、本実施形態である液晶テレビ受像機の動作について説明する。
この液晶テレビ受像機の受信部２は、操作部１３あるいはＲ／Ｃ操作部１５からユーザが選局したチャンネルに対して、中央制御部１２から制御指示を受けて、アンテナ１によって受信されたテレビジョン放送信号を検波し、画像信号を選択部３へ、音声信号を音声出力部７へ出力する。選択部３は、操作部１３からのユーザ指示により表示部６にテレビジョン画像を表示させる場合は、中央制御部１２の制御により画像信号を画像出力部５と静止画取込部４に出力する。
【００２７】
画像出力部５は、画像を１画面全体に表示させる全面表示処理部５ａ、２画面に分割して画像を表示する２分割処理部５ｂ、画像を拡大縮小して表示させる拡大縮小表示処理部５ｃ、拡大縮小する範囲を指定する四角いパターンもしくはフレーム形状のカーソルを表示させるカーソル表示処理部（表示制御手段）５ｄを備える。通常は、全面表示処理部５ａにより、１画面全体に画像を表示させる。ユーザが動画から静止画をキャプチャしたい場合に、操作部１３の静止画キー３０を押した場合には、画像出力部５の２分割処理部５ｂに切り換えて処理を行い、表示部６の画面を同一サイズ（同一面積及び同一アスペクト比）の画面に２分割して、左側画面を動画表示画面として動画を表示し、右側画面を静止画表示画面としてキャプチャした静止画を表示する。同時に、静止画取込部４は、中央制御部１２からの制御信号に基づいて、動画から１フレーム分の静止画をキャプチャして図示しないフレームメモリに格納する。そして、受信部２から選択部３を介して出力された画像信号を静止画データとしてフレームメモリに取り込み、この画像信号を画像出力部５に出力する。
【００２８】
ユーザは、２分割画面表示により、動画部分と静止画部分を同時に確認し、さらにカーソルを表示させて、その領域の画像を拡大縮小表示処理部５ｃにより拡大縮小することができる。こうして、このような処理を行って、最終的に、ユーザがベストと思われる静止画を所望のサイズで表示確認できる。そのため、ユーザは、本来記録したいと考えるサイズの静止画をカード型記録媒体９に記録することができる。
【００２９】
次に、静止画をキャプチャする場合の処理について詳細に説明する。図３は、静止画をキャプチャする場合の処理手順を示すフローチャートであり、図４は、この静止画の記録処理を行う場合の表示部の画像を説明する図である。
【００３０】
図４（ａ）に示すように、ボール３１が落下するシーンを１画面に表示している。この画像は、カード型記録媒体９に格納されている動画像でもよいし、受信部２に受信された動画像でもよい。いずれの画像データであっても、選択部３により選択されて、画像出力部５に送出される。本実施形態では、受信したテレビ放送の画像を表示している。全面表示処理部５ａによって、表示部６の画面には、ボール３１が下方に落下していく画像が全面に表示される。
【００３１】
Ｒ／Ｃ操作部１５の静止画キー２９が押されると、制御信号がＲ／Ｃ受光部１４を介して中央制御部１２に入る。中央制御部１２は、静止画キー３０が押されたことを確認し（ステップＳ１）、静止画取込部４が、ボール落下の動画像から、静止画キー３０が押された瞬間の静止画像を取り込む処理を行ない、この静止画データを画像出力部５に送出する。そして、図４（ｂ）に示すように、画像出力部５の２分割表示処理部５ｂが、ボール落下の動画像と、取り込んだ静止画のスケーリングを行って、左右等分割画面の２画面表示を行ない、左側動画表示画面に動画を、右側静止画表示画面にキャプチャした静止画を表示する。さらに、上下の余白にブランキング処理を施す。同時に、初期値設定として、倍率を示す倍率指数Ｎを「Ｎ＝１」とおく（ステップＳ２）。このとき、静止画全体に対して前記静止画表示画面に表示された静止画の表示位置及び／もしくは倍率を認識するための静止画表示画面情報である。カーソル表示処理部５ｄにより、右側静止画表示画面中にカーソル３２が表示される。カーソルは、このカーソル内の領域が拡大領域である。Ｒ／Ｃ操作部１５のカーソルキー２８により、カーソル２８は移動可能である。
【００３２】
次に、中央制御部１２は、ユーザがＲ／Ｃ操作部１５の操作キーのいずれかを押すのを確認する（ステップＳ３）。
まずは、ユーザが戻るキー２５を押した場合を想定する。中央制御部１２は、戻るキー２５が押されたことを確認し（ステップＳ４）、図４（ｅ）に示すように、画像出力部５の全画面表示処理部５ａに元の一画面表示の状態に戻す（ステップＳ５）。
【００３３】
ユーザがズームキー３０を押した場合を想定する。中央制御部１２は、ズームキー３０が押されたことを確認し（ステップＳ６）、倍率指数Ｎ＝Ｎ＋１とする。そして、ステップＳ７において、拡大縮小表示処理部５ｃが右側の静止画面に、Ｎ倍のズーム表示の処理を行う。さらに、図４（ｃ）に示すように、カーソル表示処理部５ｄが静止画のズーム表示領域を表すカーソル３２を左側画面の動画像中に移動表示する（ステップＳ６）。こうして、ユーザは拡大表示した静止画面をカーソルに妨げられることなく、拡大された静止画を確認できる。
【００３４】
倍率指数Ｎには、予め限界値が設けられており、中央制御部１２は、倍率指数Ｎが限界値を超えたかを確認する（ステップＳ８）。倍率指数Ｎが限界値を超えた場合には、Ｎ＝１として、拡大縮小表示処理部５ｃにより、右側静止画面の静止画像を縮小して等倍表示とし、カーソル表示処理部５ｄによりカーソル３２も消去する（ステップＳ９）。
【００３５】
ユーザがカーソルキー２８の上下方向（あるいは左右方向）を押した場合を想定する。中央制御部１２が、カーソルの上下方向（あるいは左右方向）の移動指示を確認し（ステップＳ１０）、図４（ｄ）に示すように、カーソル表示処理部５ｄが左側の動画像画面でカーソル３２を移動処理する。こうして、静止画表示画面情報は、カーソルと動画像画面の画像情報となる。拡大縮小表示処理部５ｃは、移動したカーソルの位置に該当する静止画中の一部領域をＮ倍ズームして右側画面の静止画を更新表示する（ステップＳ１１）。
こうして、左側動画表示画面に表示されているカーソルの位置に対応する静止画像領域を右側静止画面に表示するので、ユーザは表示させたい静止画領域をカーソルに遮られることなく、移動させながら確認できる。
【００３６】
カーソル表示処理部５ｄがカーソルがユーザ操作の方向に対して移動不可能の隅に位置しているかを確認し（ステップＳ１２）、位置していれば、カーソルは移動せず、静止画の移動表示も行わない（ステップＳ１３）。
【００３７】
ユーザが決定キー２７を押した場合を想定する。中央制御部１２が、決定キー２７が押されて静止画を記録する操作が行なわれたことを確認し（ステップＳ１４）、設定された倍率、カーソル位置及び領域における静止画データを静止画取込部４から選択部３に送り、選択部３がカード制御部１１を選択して静止画データを送る。そして、カード型記録媒体９に静止画が記録される（ステップＳ１５）。
【００３８】
こうして、ユーザ等によって的確に選択された映像のうち特定領域の映像領域を記憶することが可能になるので、ユーザが認識したい情報のみを的確に記憶することができる。またメモリーの利用効率もよい状態で活用でき、いわゆる無駄撮りが少なくなる。
【００３９】
こうして、ステップＳ９、Ｓ１３、Ｓ１５が終了した時点で、ステップＳ３に戻り、次のキー操作を待つ。ステップＳ５が終了した場合は、ステップＳ１に戻って、次の静止キー２９の操作を待つ。
【００４０】
なお、上記した実施の形態に限定されるものではなく、本発明の要旨を逸脱しない範囲内において種々変更を加え得ることは勿論である。この実施形態では、２分割画面表示を行っているが、２画面以上の多画面表示であってもよいし、動画表示画面と静止画表示画面とをピー・イン・ピー（Picture in Picture）またはピー・アウト・ピー(Picture out Picture)の表示形式で表示してもよい。カーソルの領域内は拡大処理を行うものであるが、縮小処理を行ってもよい。この場合は、例えば、Ｒ／Ｃ操作部１５に縮小キーを設けて、ユーザがそれを押した場合に縮小処理する。
【図面の簡単な説明】
【００４１】
【図１】本発明に係る画像記録装置の一実施形態である液晶テレビ受信機の構成を示すブロック図である。
【図２】Ｒ／Ｃ操作部の外観の例を示す外観図である。
【図３】静止画をキャプチャする場合の処理手順を示すフローチャートである。
【図４】この静止画の記録処理を行う場合の表示部動作を説明する図である。
【符号の説明】
【００４２】
１  アンテナ
２  受信部
３  選択部
４  静止画取込部
５  画像出力部
５ａ  全体表示処理部
５ｂ  ２分割表示処理部（多画面表示処理手段）
５ｃ  拡大縮小表示処理部（静止画表示制御手段）
５ｄ  カーソル表示処理部（表示制御手段）
６  表示部
７  音声出力部
８  スピーカ
９  カード型記録媒体
１０  スロット部
１１  カード制御部
１２  中央制御部
１３  操作部
１４  Ｒ／Ｃ受光部
１５  Ｒ／Ｃ操作部（静止画表示操作手段）
【図１】
0004540581.tif 000002
【図２】
0004540581.tif 000003
【図３】
0004540581.tif 000004
【図４】
0004540581.tif 000005